(57)【要約】【課題】  複数の画像処理部を並置した画像処理装置での各画像処理部の動作状況をそれぞれ示す処理部情報を併せて同時に表示する表示部を備えて表示部を簡略化した画像処理装置を提供する。【解決手段】  画像処理装置１は、画像データをそれぞれ独自に処理して記録用紙に画像を形成する第１画像処理部２０、第２画像処理部４０、ＯＣＵ１２を備える。第１画像処理部２０には、カラー画像読み取り部２１、モノクロ画像形成部２２、用紙収納部２３が、第２画像処理部４０には、カラー画像形成部４２、用紙収納部４３がそれぞれ設けてある。ＯＣＵ１２は、第１画像処理部２０および第２画像処理部４０への機械的な操作入力を受け付ける機構操作パネルと、動作状況（第１画像処理部２０の動作状況を示す第１処理部情報および第２画像処理部４０の動作状況を示す第２処理部情報）を個別に独立して表示する表示部１３とを備える。【選択図】  図１
2007071991.tif 000002
【特許請求の範囲】
【請求項１】
画像データをそれぞれ処理する第１画像処理部および第２画像処理部と、第１画像処理部の動作状況を示す第１処理部情報および第２画像処理部の動作状況を示す第２処理部情報を表示する表示部とを備える画像処理装置であって、
前記表示部は、前記第１処理部情報および前記第２処理部情報を併せて表示する構成としてあること
を特徴とする画像処理装置。
【請求項２】
前記表示部は、第１視認方向に対応して前記第１処理部情報を表示し、第２視認方向に対応して前記第２処理部情報を表示する構成としてあること
を特徴とする請求項１に記載の画像処理装置。
【請求項３】
前記第１視認方向および前記第２視認方向は前記表示部の垂直方向に対して相互に逆方向に配置してあること
を特徴とする請求項２に記載の画像処理装置。
【請求項４】
前記第１処理部情報は画像データの処理に関する操作情報または点検に関する点検情報であり、前記第２処理部情報は画像データの処理に関する操作情報または点検に関する点検情報であること
を特徴とする請求項１ないし請求項３のいずれか一つに記載の画像処理装置。
【請求項５】
前記表示部に表示された前記第１処理部情報が操作情報であるとき、前記表示部に表示された前記第２処理部情報は点検情報であり、
前記表示部に表示された前記第１処理部情報が点検情報であるとき、前記表示部に表示された前記第２処理部情報は操作情報であること
を特徴とする請求項４に記載の画像処理装置。
【請求項６】
前記表示部に透明タブレットを設けてあり、該透明タブレットは、前記第１処理部情報を表示する領域に対応して前記第１画像処理部への指示を検知する第１検知領域と、前記第２処理部情報を表示する領域に対応して前記第２画像処理部への指示を検知する第２検知領域とを備えること
を特徴とする請求項１ないし請求項５のいずれか一つに記載の画像処理装置。
【請求項７】
前記第１検知領域と、前記第２検知領域とは、交互に配置してあること
を特徴とする請求項６に記載の画像処理装置。
【請求項８】
第１処理部情報および第２処理部情報の一方がカラー表示であり、他方がモノクロ表示であること
を特徴とする請求項１ないし請求項７のいずれか一つに記載の画像処理装置。
【請求項９】
オペレータを検出する検出器を備え、第１画像処理部に対応してオペレータの存在を検出した場合には第１処理部情報を表示し、第２画像処理部に対応してオペレータの存在を検出した場合には第２処理部情報を表示すること
を特徴とする請求項１ないし請求項７のいずれか一つに記載の画像処理装置。
【発明の詳細な説明】
【技術分野】
【０００１】
本発明は、２つの画像処理部を有し、各画像処理部に関するそれぞれの情報を併せて表示する表示部を備えた画像処理装置に関する。
【背景技術】
【０００２】
情報化社会の進展に伴い画像データを処理する画像処理装置（例えば、複写機、ファクシミリなど）に対する要求はますます高度化かつ複雑化している。例えば画像処理機能に関する要求（単位時間当たりの処理枚数の増加、トータルとしての処理枚数の増加、カラー複写とモノクロ複写の併用など）に対しては、複数の画像処理装置（複数の画像処理部）を並置して稼動させることが考えられる。
【０００３】
しかし、従来の画像処理装置では、表示部に操作機能の一部を兼用させることが多く、また、表示部を構成する表示装置は単一の表示内容を表示することしかできないのが実態であり、複数の画像処理装置（画像処理部）を並置してもそれぞれの操作部、表示部はそれぞれの画像処理装置に対応させて設けることが一般的である。
【０００４】
また、例えば複写機とファクシミリとを一体化した複合機の場合でも、複写機を動作させる場合と、ファクシミリを動作させる場合とでは、表示内容を複写機操作用表示画面またはファクシミリ操作用表示画面と切り替える必要があり、実態として複写機とファクシミリとを同時に操作することはできなかった。
【０００５】
したがって、複数の画像処理部を備える画像処理装置を構成しても、複数の画像処理部相互間の連携、また、同時に指示を与え、同時に稼動させることは困難であり、複数の画像処理部を備える画像処理システムとして真に一体化した画像処理装置は実現されていなかった。
【０００６】
ところが、異なる表示内容を１つの表示部（表示面）でそれぞれ個別に視認可能とする表示装置（を用いた電子装置）が提案されている（例えば、特許文献１、２参照）。このような表示装置によれば、表示部に対して異なる方向へ相互に異なる個別の表示内容を表示することが可能となる。
【特許文献１】特開２００４−１１３５８６号公報
【特許文献２】特開２００５−７８０８０号公報
【発明の開示】
【発明が解決しようとする課題】
【０００７】
複数の画像処理部を並置した画像処理装置において、それぞれの画像処理部の動作状況をそれぞれ示す処理部情報を併せて同時に表示する表示部を備えることにより、表示部を簡略化した画像処理装置を提供することを目的とする。
【０００８】
本発明は、異なる方向から異なる表示画面（処理部情報）を視認できる表示部を備えることにより、複数の画像処理部の動作状況（動作状態、つまり処理部情報）を個別にそれぞれ認識できる画像処理装置を提供することを他の目的とする。
【０００９】
本発明は、表示部の垂直方向に対して相互に逆方向から相互に異なる表示内容（処理部情報）を視認可能な構成とすることにより、複数の操作者が相互に独立して対応する画像処理部の動作状況をそれぞれ把握することが可能な画像処理装置を提供することを他の目的とする。
【００１０】
本発明は、表示部に表示された相互に異なる表示画面（処理部情報）の一方を対応する画像処理部の操作情報とし、他方を対応する画像処理部の点検情報とすることにより、一方の画像処理部が稼動中であっても他方の画像処理部での点検作業が可能となる画像処理装置を提供することを他の目的とする。
【００１１】
本発明は、表示部に透明タブレットを設け、相互に異なる処理部情報を表示する領域に対応させて透明タブレットへの指示を検知する検知領域を備えることにより、各画像処理部を表示部からの指示によりそれぞれ制御することが可能な画像処理装置を提供することを他の目的とする。
【００１２】
本発明は、複数の画像処理部に対応する複数の検知領域を表示内容（画像処理情報）に対応させて交互に配置することにより、表示部の表示面全面を有効に利用して認識ミス、入力ミスを低減できる画像処理装置を提供することを他の目的とする。
【００１３】
本発明は、処理部情報の一方はカラー表示とし、他方はモノクロ表示とすることにより、識別ミスを低減できる画像処理装置を提供することを他の目的とする。
【００１４】
本発明は、オペレータの存在を検出し、オペレータの存在に対応して処理部情報を表示することにより、効果的な表示が可能な操作性の高い画像処理装置を提供することを他の目的とする。
【課題を解決するための手段】
【００１５】
本発明に係る画像処理装置は、画像データをそれぞれ処理する第１画像処理部および第２画像処理部と、第１画像処理部の動作状況を示す第１処理部情報および第２画像処理部の動作状況を示す第２処理部情報を表示する表示部とを備える画像処理装置であって、前記表示部は、前記第１処理部情報および前記第２処理部情報を併せて表示する構成としてあることを特徴とする。
【００１６】
この構成により、表示部に複数の画像処理部の動作状況を併せて表示することから、表示部を共通化して構成を簡略化することができ、画像処理装置の構成を簡略化することができるので、小型化、低価格化が可能となり、また、２つの処理部情報を同一表示部に表示することから操作性を向上することができる。
【００１７】
本発明に係る画像処理装置では、前記表示部は、第１視認方向に対応して前記第１処理部情報を表示し、第２視認方向に対応して前記第２処理部情報を表示する構成としてあることを特徴とする。
【００１８】
この構成により、第１処理部情報および第２処理部情報を相互に分離して視認することができ、確実な識別が可能となる。
【００１９】
本発明に係る画像処理装置では、前記第１視認方向および前記第２視認方向は前記表示部の垂直方向に対して相互に逆方向に配置してあることを特徴とする。
【００２０】
この構成により、第１処理部情報および第２処理部情報を相互に干渉が生じない反対側の位置から個別に視認（各画像処理部の動作状況を把握）することが可能となる。
【００２１】
本発明に係る画像処理装置では、前記第１処理部情報は画像データの処理に関する操作情報または点検に関する点検情報であり、前記第２処理部情報は画像データの処理に関する操作情報または点検に関する点検情報であることを特徴とする。
【００２２】
この構成により、各画像処理部の操作情報および点検情報を表示することにより、操作に限らず点検についても表示部を利用することが可能となり、一方の画像処理部が通常の動作中であっても他方の画像処理部の点検を実施でき、より有効に表示部を利用することができる。
【００２３】
本発明に係る画像処理装置では、前記表示部に表示された前記第１処理部情報が操作情報であるとき、前記表示部に表示された前記第２処理部情報は点検情報であり、前記表示部に表示された前記第１処理部情報が点検情報であるとき、前記表示部に表示された前記第２処理部情報は操作情報であることを特徴とする。
【００２４】
この構成により、一方が操作（例えば通常の動作）中であっても他方で点検の処理が可能であり、並置した画像処理部でオペレータ（操作者）の操作／点検に応じて相互に独立した動作（動作表示）が可能となる。
【００２５】
本発明に係る画像処理装置では、前記表示部に透明タブレットを設けてあり、該透明タブレットは、前記第１処理部情報を表示する領域に対応して前記第１画像処理部への指示を検知する第１検知領域と、前記第２処理部情報を表示する領域に対応して前記第２画像処理部への指示を検知する第２検知領域とを備えることを特徴とする。
【００２６】
この構成により、単一の表示部により各画像処理部への指示内容をそれぞれ検知して確定することが可能となり、表示部からの指示（入力）により第１画像処理部および第２画像処理部それぞれを制御することが可能となる。
【００２７】
本発明に係る画像処理装置では、前記第１検知領域と、前記第２検知領域とは、交互に配置してあることを特徴とする。
【００２８】
この構成により、表示部の全面を有効に用いた検知領域を構成することができ、また検知領域への認識ミス／入力ミスを防止することができる。
【００２９】
本発明に係る画像処理装置では、第１処理部情報および第２処理部情報の一方がカラー表示であり、他方がモノクロ表示であることを特徴とする。
【００３０】
この構成により、第１処理部情報および第２処理部情報に対する識別ミスを低減することができ、操作性の高い画像処理装置とすることができる。
【００３１】
本発明に係る画像処理装置では、オペレータを検出する検出器を備え、第１画像処理部に対応してオペレータの存在を検出した場合には第１処理部情報を表示し、第２画像処理部に対応してオペレータの存在を検出した場合には第２処理部情報を表示することを特徴とする。
【００３２】
この構成により、オペレータの存在に応じて表示を行うことが可能となり、省エネルギで操作性の高い有用な表示部とすることができる。
【発明の効果】
【００３３】
本発明に係る画像処理装置によれば、複数の画像処理部を並置し、それぞれの画像処理部の動作状況をそれぞれ示す処理部情報を併せて同時に表示する表示部を備えることから、画像処理装置の表示部を簡略化でき、小型化、低価格化が可能となり、また、操作性を向上させた画像処理装置を実現できるという効果を奏する。
【００３４】
本発明に係る画像処理装置によれば、第１視認方向および第２視認方向という異なる方向から異なる表示画面（処理部情報）を視認できる表示部を備えることから、複数の画像処理部の動作状況（動作状態、つまり処理部情報）を相互に分離して個別に認識できる画像処理装置を実現できるという効果を奏する。
【００３５】
本発明に係る画像処理装置によれば、表示部に表示された相互に異なる表示画面（処理部情報）の一方を対応する画像処理部の操作情報とし、他方を対応する画像処理部の点検情報とすることから、一方の画像処理部が稼動中であっても他方の画像処理部での点検作業が可能となり、より有効に表示部を利用することが可能な画像処理装置を実現できるという効果を奏する。
【００３６】
本発明に係る画像処理装置によれば、表示部に透明タブレットを設け、相互に異なる処理部情報をそれぞれ表示する各領域に対応させて透明タブレットへの指示を検知する検知領域を備えることから、各画像処理部を表示部からの指示によりそれぞれ制御することが可能な画像処理装置を実現できるという効果を奏する。
【発明を実施するための最良の形態】
【００３７】
以下、本発明の実施の形態を図面に基づいて説明する。
【００３８】
図１は、本発明の実施の形態に係る画像処理装置の機構系の構成を概念的に示す構造図である。
【００３９】
本実施の形態に係る画像処理装置１は、画像データをそれぞれ独自に処理して記録用紙に画像を形成する（画像処理を行う）第１画像処理部２０、第２画像処理部４０を備える。なお、第１画像処理部２０、第２画像処理部４０という２つの画像処理部に対する第１、第２の区別は便宜上のものであり、互いに逆順としても良い。また、同種類の機能を有する画像処理部であっても良く、以下に示すカラー画像処理、モノクロ画像処理はこれを限定するものではない。
【００４０】
画像処理装置１は、第１画像処理部２０／第２画像処理部４０で画像処理された記録用紙に対してオフセット処理／ステープル加工／パンチ加工などの付加的な処理を行う付加処理部６０、第１画像処理部２０／第２画像処理部４０による画像処理または付加処理部６０による付加処理を施された記録用紙を排出する排出部６１、第１画像処理部２０で画像処理された記録用紙を付加処理部６０／排出部６１に搬送するための中継搬送部１１、第１画像処理部２０の動作状況を示す第１処理部情報および第２画像処理部４０の動作状況を示す第２処理部情報を表示する表示部１３を備えるオペレータコントロールユニット１２（以下、ＯＣＵ１２という。）をさらに備える。
【００４１】
なお、以下、第１画像処理部２０、第２画像処理部４０を区別する必要がない場合には、単に画像処理部とする。また、第１処理部情報、第２処理部情報を区別する必要がない場合には、同様に処理部情報とする。
【００４２】
第１画像処理部２０には、所定の画像処理を行うために、カラー画像読み取り部２１、モノクロ画像形成部２２、用紙収納部２３が設けてある。カラー画像読み取り部２１は、ＡＤＦ（Ａｕｔｏ  Ｄｏｃｕｍｅｎｔ  Ｆｅｅｄｅｒ）機能を有するカラースキャナで構成され、セットされた入力用紙の画像を読み取り、画像データを取得し、カラー判定、モノクロ判定を行う。なお、画像データは、カラー画像読み取り部２１以外に、パーソナルコンピュータ７０（以下、ＰＣ７０という。図２参照）からローカルエリアネットワーク（以下、ＬＡＮという。）を経由して入力することもできる。
【００４３】
モノクロ画像形成部２２は、カラー画像読み取り部２１でモノクロ判定がされた画像データまたはモノクロ画像形成を指定された画像データに基づいて用紙収納部２３から挿入された記録用紙に画像形成処理を施してモノクロ画像を形成する。用紙収納部２３は、用紙サイズ、用紙種類などに応じて適宜使い分けできるように複数の用紙収納トレイを備えている。
【００４４】
モノクロ画像を形成された記録用紙は、中継搬送部１１、第２画像処理部４０の上部に設けられたバイパス搬送部４４を経由して付加処理部６０へ搬出される。
【００４５】
第２画像処理部４０には、所定の画像処理を行うために、カラー画像形成部４２、用紙収納部４３が設けてある。
【００４６】
カラー画像形成部４２は、カラー画像読み取り部２１でカラー判定がされた画像データまたはカラー画像形成を指定された画像データに基づいて用紙収納部４３から挿入された記録用紙に画像形成処理を施してカラー画像を形成する。カラー画像形成部４２は、いわゆるタンデム方式で構成してあり、Ｙ（イエロー）、Ｍ（マゼンタ）Ｃ（シアン）、ＢＫ（ブラック）の各色トナーを備えた現像器を有し、中間ベルトに転写された画像を熱転写で記録用紙に転写することにより、画像形成を行う。用紙収納部４３は、用紙サイズ、用紙種類などに応じて適宜使い分けできるように複数の用紙収納トレイを備えている。
【００４７】
カラー画像を形成された記録用紙は、付加処理部６０へ搬出される。
【００４８】
ＯＣＵ１２は、画像処理装置１（第１画像処理部２０および第２画像処理部４０）への機械的な操作入力を受け付ける機構操作パネルと、動作状況（第１画像処理部２０の動作状況を示す第１処理部情報および第２画像処理部４０の動作状況を示す第２処理部情報）を表示する表示パネルとなる表示部１３とを備える。機構操作パネルは、例えばテンキー、スタートキーなどのメカキーを備えている。
【００４９】
また、表示部１３は、透明タブレット（いわゆるポインティングデバイスであり、タッチ式入力手段としてのタッチスクリーンにより構成される。）を有しており、表示された第１処理部情報および第２処理部情報に対応して指示（入力）される操作者（オペレータ）からの指示を受けて、第１画像処理部２０および第２画像処理部４０を制御することができる構成としてある。
【００５０】
なお、本実施の形態では、ＯＣＵ１２は、第２画像処理部４０の上部筐体から突出させて立設してあるが、第２画像処理部４０の上部筐体の手前部分（操作者側）に適宜の位置を設けて、平面状に配置することもできる（図３参照）。上部筐体の手前部分に平面状に設けることにより、さらに操作性を向上することができる。
【００５１】
図２は、本発明の実施の形態に係る画像処理装置の制御系の構成ブロックを概念的に示すブロック図である。
【００５２】
第１画像処理部２０は、スキャナで構成されるカラー画像読み取り部２１（以下、スキャナ２１という。）、スキャナ２１を適宜制御して画像データのモノクロ／カラーを判定して受け取るイメージコントロールユニット２５（以下、ＩＣＵ２５という。）、ＩＣＵ２５と連携してモノクロ画像形成部２２での画像形成の制御を行うプリントコントロールユニット２６（以下、ＰＣＵ２６という。）、ＰＣＵ２６を含めて第１画像処理部２０の全体を制御管理する管理部２７、ＩＣＵ２５がスキャナ２１から取得した画像データ（モノクロ）を一時的に順次記録するハードディスクドライブ２８（以下、ＨＤＤ２８という。）を備える。なお、ＩＣＵ２５は、ＯＣＵ１２からの指示を入力し、また、表示部１３へ第１処理部情報を出力し適宜表示させる。
【００５３】
第２画像処理部４０は、ＩＣＵ２５と連携してスキャナ２１からの画像データ（カラー）を受け取るイメージコントロールユニット４５（以下、ＩＣＵ４５という。）、ＩＣＵ４５と連携してカラー画像形成部４２での画像形成の制御を行うプリントコントロールユニット４６（以下、ＰＣＵ４６という。）、ＰＣＵ４６を含めて第２画像処理部４０の全体を制御管理する管理部４７、ＩＣＵ４５がスキャナ２１から取得した画像データ（カラー）を一時的に記録するハードディスクドライブ４８（以下、ＨＤＤ４８という。）を備える。なお、ＩＣＵ４５は、ＯＣＵ１２からの指示を入力し、また、表示部１３へ第２処理部情報を出力し適宜表示させる。
【００５４】
付加処理部６０は、ＯＣＵ１２からの指示を入力して、付加処理部６０の全体を制御するサブコントロールユニット６５（以下、ＳＣＵ６５という。）を備える。
【００５５】
画像処理装置１は、外部のＰＣ７０とＬＡＮを介して接続してあり、ＬＡＮおよびプリンタボード１５を介して画像データをＩＣＵ２５／ＩＣＵ４５へ入力する。プリンタボード１５は、画像データを一時的に記録するハードディスクドライブ１６（以下、ＨＤＤ１６）を備えている。
【００５６】
図３は、本発明の実施の形態に係る画像処理装置の制御系の構成ブロックを概念的に示すブロック図である。
【００５７】
図２のブロック図では、ＯＣＵ１２、表示部１３が第２画像処理部４０の上部に立設された場合を示しているが、図３では、ＯＣＵ１２、表示部１３が第２画像処理部４０の上部に平面状に配置された場合を示している。その他の構成は図２の場合と同様であるので詳細な説明は省略する。
【００５８】
図４は、本発明の実施の形態に係る画像処理装置の表示部での表示態様を概念的に示す説明図である。
【００５９】
表示部１３は、図上ラインＡで示す表示列１４ａａ、ラインＢで示す表示列１４ｂｂを同一表示面に併せて表示することができる表示装置で構成してある。通常、表示列１４ａａと表示列１４ｂｂは交互に配置し、視認範囲を大きくして表示部１３を有効に利用できるようにしてあるがこれに限るものではない。
【００６０】
表示列１４ｂｂは、第１視認方向としての視認方向ＳＤＢ（例えば、図上表示部１３に向かって右側）から視認可能であり、表示画面１４（視認画面１４）としての視認画面１４ｂを表示する構成としてある。
【００６１】
また、表示列１４ａａは、第２視認方向としての視認方向ＳＤＡ（例えば、図上表示部１３に向かって左側）から視認可能であり、表示画面１４としての視認画面１４ａを表示する構成としてある。なお、第１視認方向、第２視認方向という２つの視認方向に対する第１、第２の区別は便宜上のものであり、互いに逆順としても良い。
【００６２】
本実施の形態では便宜上、第１視認方向（視認方向ＳＤＢ）を上述した第１画像処理部２０に対応させ、第２視認方向（視認方向ＳＤＡ）を上述した第２画像処理部４０に対応させている。つまり、ラインＡで示す表示列１４ａａ（視認画面１４ａ）は、第２画像処理部４０の処理部情報（第２処理部情報）を表示し、ラインＢで示す表示列１４ｂｂ（視認画面１４ｂ）は、第１画像処理部２０の処理部情報（第１処理部情報）を表示している。
【００６３】
また、視認方向ＳＤＢからは視認画面１４ａを視認することはできず、視認方向ＳＤＡからは視認画面１４ｂを視認することはできないことから、第１処理部情報および第２処理部情報は、それぞれ個別に独立して視認（個別に独立させて表示）することができる。
【００６４】
つまり、複数の画像処理部（第１画像処理部２０および第２画像処理部４０）の動作状況を表示部１３に併せて表示することが可能であることから、表示部１３の構成を簡略化することができ、画像処理装置１の構成を簡略化できるので、小型化、低価格化が可能となり、また、２つの処理部情報を同一の表示部１３に表示することから操作性を向上することができる。
【００６５】
第１視認方向（視認方向ＳＤＢ）および第２視認方向（視認方向ＳＤＡ）は、表示部１３の垂直方向に対して相互に逆方向に配置してあることから、第１処理部情報および第２処理部情報を相互に干渉の生じない反対側の位置から個別に視認（第１画像処理部２０および第２画像処理部４０の動作状況をそれぞれ個別に視認、把握）することができる。
【００６６】
表示列１４ａａおよび表示列１４ｂｂの列幅、列ピッチ、列長さ、相互の位置関係は表示内容に応じて適宜設定（制御）することができるから、表示部１３への指示内容を透明タブレットにより検知する検知領域を容易に形成することができる（図９〜図１４参照。）。なお、視認画面１４ａに対応する検知領域を第２検知領域、視認画面１４ｂに対応する検知領域を第１検知領域とするが、第１検知領域と第２検知領域を区別する必要がない場合には単に検知領域とする。
【００６７】
なお、視認画面１４ｂで表示する内容を第１処理部情報に限らず他の情報（例えば画像処理装置１としてのドキュメントファイリング機能）を表示する形態とすることもでき、また、視認画面１４ａで表示する内容を第２処理部情報に限らず他の情報（例えば画像処理装置１としてのドキュメントファイリング機能）を表示する形態とすることもできる。
【００６８】
図５は、図４に示した表示部での表示例（動作状況の表示例）を示す説明図である。
【００６９】
本表示例では、表示部１３の一方の視認画面１４ａ（第２処理部情報）は、点検に関する点検情報（動作状況）を示す点検中のオペレータ画面が表示してあり、他方の視認画面１４ｂ（第１処理部情報）は、通常の動作状態で画像データの処理に関する操作情報（動作状況）を示す通常の操作画面が表示してある状態を示す。つまり、視認画面１４ｂに対応する第１画像処理部２０は通常の動作状態にあり、視認画面１４ａに対応する第２画像処理部４０は点検中の動作状態にある場合である。
【００７０】
点検を行う必要が生じる場合としては、定期点検、故障点検などがある。このように、２つの画像処理部（第１画像処理部２０、第２画像処理部４０）がそれぞれ異なる動作状態にあっても、それぞれの動作状態に対応させて異なる処理部情報（第１処理部情報、第２処理部情報）を表示部１３により表示することができることから、通常の動作中での操作に限らず点検中についても表示部１３を利用することができ、他方の画像処理部が動作中であっても自由に点検処理を行うことが可能となる。
【００７１】
図６は、図４に示した表示部での表示例（動作状況の他の例）を示す説明図である。
【００７２】
本表示例では、図５と逆の動作状態を示し、視認画面１４ａは、通常の動作状態で画像データの処理に関する操作情報を示す通常の操作画面が表示してあり、視認画面１４ｂは、点検に関する点検情報を示す点検中のオペレータ画面が表示してある状態を示す。
【００７３】
つまり、図５、図６の表示例に示すように一方が操作中であっても、他方で点検の処理が可能であり、オペレータ（操作者）の操作／点検に応じた動作／表示が可能となる。その他の点については、図５の場合と同様であり、詳細な説明は省略する。
【００７４】
図７は、本発明の実施の形態に係る画像処理装置の立ち上げ時のフロー例および表示内容例を示すフロー説明図である。
【００７５】
ステップＳ１０：
画像処理装置１の電源をオン（ＯＮ）する。これにより第１画像処理部２０、第２画像処理部４０の動作が開始される。
【００７６】
ステップＳ１２：
第１画像処理部２０、第２画像処理部４０は、それぞれ管理部２７、管理部４７を中心として自己診断チェックを行う。
【００７７】
表示部１３（視認画面１４）の視認画面１４ａ、視認画面１４ｂには動作状況に応じて、それぞれに「システムチェック中」と表示される。
【００７８】
ステップＳ１４：
自己診断が終了した後、第２画像処理部４０では、カラープリンタ（カラー画像形成部４２）のウォームアップが開始され、カラー画像形成部４２による画像形成の準備が行われる。
【００７９】
視認画面１４ａには、例えば「ドキュメントファイリング」画面（図１０参照）が表示され、視認画面１４ｂには、例えば「ウォームアップ中」と表示され、画像処理装置１がウォームアップ中であることを示す。
【００８０】
なお、通常の動作状態（通常の操作状態）では、視認画面１４ａは第２画像処理部４０に、視認画面１４ｂは第１画像処理部２０にそれぞれ対応させているが、立ち上げ時など必要に応じて、本実施例のように画像処理装置１の立ち上げ状態を表示させるように構成しても良い。
【００８１】
ステップＳ１６：
カラープリンタのウォームアップが完了したか否かのチェックを適宜実行し、完了している場合（ステップＳ１６：ＹＥＳ）には、ステップＳ１８へ進む。完了していない場合（ステップＳ１６：ＮＯ）には、ウォームアップを継続し適宜チェックを行う。
【００８２】
ステップＳ１８：
カラープリンタのウォームアップが完了した場合には、引き続き、モノクロプリンタ（モノクロ画像形成部２２）のウォームアップが開始され、モノクロ画像形成部２２による画像形成の準備が行われる。
【００８３】
視認画面１４ａには、例えば「ドキュメントファイリング」画面がそのまま表示され、視認画面１４ｂには、例えば「ウォームアップ中／カラーはＯＫ」と表示され、カラープリンタは使用可能であり、モノクロプリンタはウォームアップ中であることを示す。
【００８４】
ステップＳ２０：
モノクロプリンタのウォームアップが完了したか否かのチェックを適宜実行し、完了している場合（ステップＳ２０：ＹＥＳ）には、ステップＳ２２へ進む。完了していない場合（ステップＳ２０：ＮＯ）には、ウォームアップを継続し適宜チェックを行う。
【００８５】
ステップＳ２２：
モノクロプリンタのウォームアップが完了した場合、画像処理装置１は、待機モードに入り、オペレータの指示を待つ。
【００８６】
視認画面１４ａには、例えば「ドキュメントファイリング」画面がそのまま表示され、視認画面１４ｂには、例えば「コピーできます／カラー、モノクロ」と表示され、カラープリンタ、モノクロプリンタとも使用可能でことを示す。
【００８７】
なお、ステップＳ１０ないしＳ２２の処理フローは管理部２７、４７に予めコンピュータプログラムとしてインストールしておくことにより、確実に実行することができる。
【００８８】
図８は、本発明の実施の形態に係る画像処理装置の実働中に画像処理部の一方でメンテナンス作業を行う場合のフロー例および表示内容例を示すフロー説明図である。
【００８９】
ステップＳ３０：
メンテナンス作業（調整作業）が必要なのはカラー（カラープリンタ）側か否かを判定する。カラープリンタ側の場合（ステップＳ３０：ＹＥＳ）には、ステップＳ３２へ進む。モノクロプリンタ側の場合（ステップＳ３０：ＮＯ）には、ステップＳ：３４へ進む。
【００９０】
ステップＳ３２：
カラープリンタ側での調整であるから、視認画面１４ａに、「調整中」である旨の表示（図９参照）がなされ、視認画面１４ｂには「操作」画面（図１０参照）が表示される。
【００９１】
ステップＳ３４：
モノクロプリンタ側での調整であるから、視認画面１４ｂに、「調整中」である旨の表示（図９参照）がなされ、視認画面１４ａには「操作」画面（図１０参照）が表示される。
【００９２】
ステップＳ３６：
調整が完了したと判定された場合（ステップＳ３６：ＹＥＳ）は、処理フローは終了する。完了していない場合には適宜の周期で適宜判定を行う（ステップＳ３６：ＮＯ）。
【００９３】
図９は、本発明の実施の形態に係る画像処理装置のメンテナンス作業中での表示画面例を示す模式図である。
【００９４】
表示画面１４つまり視認画面１４（視認画面１４ａまたは視認画面１４ｂ）に、例えば故障モード（不良モード）または調整モードなどに対応させて、適宜の調整項目「ａ、ｂ、ｃ」が表示される。調整項目には「アップダウンキー」が対応して配置してある。また、「キャンセル」「ＯＫ」ボタンなどが適宜設けてある。本表示画面例での「アップダウンキー」、「ボタン」は、上述したとおり、透明タブレットに対応させて構成してあり、視認画面１４へのタッチ状態を認識して入力（指示）の有無を検知するように構成してある。
【００９５】
なお、調整項目としてはメンテナンスを行うサービスマンが調整作業を行う対象としての項目（機種、故障モードなどにより種々の項目が設定されている。）を順次列挙する構成とし、調整作業の進展に伴い「ＯＫ」ボタンにタッチすることにより、次のステップに進むことができる構成としてある。
【００９６】
なお、ステップＳ３０ないしＳ３６の処理フローは管理部２７、４７に予めコンピュータプログラムとしてインストールしておくことにより、確実に実行することができる。
【００９７】
図１０ないし図１４は、本発明の実施の形態に係る画像処理装置の動作中の表示画面例を示す模式図である。
【００９８】
図１０ないし図１４で示す視認画面１４ａには、例えば「ドキュメントファイリング」機能状態（モード）としての「ファイリング一覧」が表示してある。スキャナ２１での画像の読み取りが終了した画像データ、またはＬＡＮを介して入力された画像データのファイルがＨＤＤ（例えばＨＤＤ１６、ＨＤＤ２８、ＨＤＤ４８）に一時記録され、画像処理の実行を待っている状態を、例えば「１  ××××」「２  ×××」「３  ×××××」として表示している。これら以外のファイル（図示しない４以降のファイル）についても「アップダウンキー」を用いて表示させること、また、検索することが可能な構成としてある。
【００９９】
視認画面１４ａには、さらに下段部に「プリント」ボタン（画像形成処理）、「送信」ボタン（例えばＰＣ７０への送信）、「ファックス」ボタン（ファックス送信処理）、「削除」ボタン（ファイルの削除）、「移動」ボタン（画像処理装置１が備えるフォルダへの移動）、「保護」ボタン（保存などの一字保管の実行、パスワードの設定入力など）が表示してある。
【０１００】
視認画面１４ａ（視認方向ＳＤＡ）は、表示列１４ａａに対応して表示してあり、また、表示内容に対応して透明タブレットが機能するように構成してあることから、上述した「アップダウンキー」「プリント」「送信」「ファックス」「削除」「移動」「保護」ボタンは、検知領域として動作し、これらへの指示を検知して適宜の動作を実行する構成としてある。なお、検知領域としてのボタンの形状に対応して表示列１４ａａの配列幅を設定してある。
【０１０１】
また、本実施例での視認画面１４（視認画面１４ａ）では、表示列１４ａａと表示列１４ｂｂとは、ボタンに対応させて交互に配置してある。交互に配置することにより視認画面１４を全面的に利用することが可能となり、また、各視認画面（１４ａ、１４ｂ）の中では隣接するボタンを大きく分離して配置することができる。
【０１０２】
なお、表示列１４ｂｂに対応するボタンについては、視認画面１４ａでは表示されないことから、操作される恐れはない。また、上段と下段とでは、表示列１４ａａの配列幅を適宜異ならせている。
【０１０３】
図１０ないし図１４で示す視認画面１４ｂには、視認画面１４ａの「ファイリング一覧」の表示に対して、通常の動作モードでの「操作」画面が表示してある。
【０１０４】
図１０に示す視認画面１４ｂでは、「コピー」「送信」「ファイリング」「後処理」「用紙」「濃度」「倍率」ボタンのいずれかへの指示が入力可能な待機状態を示している。つまり、視認画面１４ｂは、第１画像処理部２０に対応し、表示列１４ｂｂにより第１処理部情報を表示している。また、第１処理部情報を表示する領域に対応して第１画像処理部２０に対する指示を検知する第１検知領域として上述した「コピー」「送信」「ファイリング」「後処理」「用紙」「濃度」「倍率」ボタンを設けている。
【０１０５】
なお、図示はしないが、視認画面１４ａについても通常の動作モードでの「操作」画面として同様な設定（表示）が可能である。両方の視認画面１４ａ、１４ｂを共に「操作」画面とした場合、視認画面１４ａは、第２画像処理部４０に対応し、表示列１４ａａにより第２処理部情報を表示する。また、第２処理部情報を表示する領域に対応して第２画像処理部４０に対する指示を検知する第２検知領域として、第１検知領域と同様に「コピー」「送信」「ファイリング」「後処理」「用紙」「濃度」「倍率」などのボタンを設けることができる。
【０１０６】
両方の視認画面１４ａ、１４ｂを共に「操作」画面とした場合、例えば「後処理」については、表示列１４ａａに「後処理」、表示列１４ｂｂに「後処理」と併せて表示されるが、その視認は表示列１４ａａについては視認方向ＳＤＡからしか視認できないし、表示列１４ｂｂについては視認方向ＳＤＢからしか視認できないことから、混同操作することはない。つまり、第１検知領域と第２検知領域とを交互に配置することにより、表示部を全面的に有効に用いた検知領域を構成することができ、また検知領域に対する認識ミス／入力ミスを防止することができる。
【０１０７】
したがって、単一の表示部１３により、２つの画像処理部への指示内容をそれぞれ独立して検知し、確定することが可能となる。つまり、表示部１３への指示（入力）により、第１画像処理部２０、第２画像処理部４０を異なる視認方向（視認方向ＳＤＡ、ＳＤＢ）からそれぞれ個別に操作することが可能となる。
【０１０８】
なお、第１画像処理部２０および第２画像処理部４０共に通常の動作モードで「操作」画面を表示する場合に、視認画面１４ａは、カラープリンタに対応させてカラー表示とし、視認画面１４ｂは、モノクロプリンタに対応させてモノクロ表示とすることも可能である。この構成によれば第１処理情報および第２処理情報に対する視認性がさらに向上することから、識別ミスを低減し操作性を向上した画像処理装置１とすることが可能となる。また、カラー表示およびモノクロ表示の併用は他の動作モードにおいても適用することができる。
【０１０９】
図１１に示す視認画面１４ｂでは、表示列１４ｂｂに対応する位置に表示された「後処理」ボタンへのタッチ入力により透明タブレットを介して「後処理」が選択指示（反転表示）され、次に「後処理」の内容を「オフセット」「ステープル」「パンチ」「グループ」ボタンから各ボタンへのタッチ入力により選択指定できる状態を示している。
【０１１０】
図１２に示す視認画面１４ｂでは、表示列１４ｂｂに対応する位置に表示された「用紙」ボタンへのタッチ入力により透明タブレットを介して「用紙」が選択指示（反転表示）され、次に「用紙」の内容（例えば用紙サイズ）を「Ａ４」「Ａ３」「Ｂ４」「Ｂ５」ボタンから各ボタンへのタッチ入力により選択指定できる状態を示している。
【０１１１】
図１３に示す視認画面１４ｂでは、表示列１４ｂｂに対応する位置に表示された「濃度」ボタンへのタッチ入力により透明タブレットを介して「濃度」が選択指示（反転表示）され、次に「濃度」の内容を「文字」「写真」「文字／写真」「自動」ボタンから各ボタンへのタッチ入力により選択指定できる状態を示している。
【０１１２】
図１４に示す視認画面１４ｂでは、表示列１４ｂｂに対応する位置に表示された「倍率」ボタンへのタッチ入力により透明タブレットを介して「倍率」が選択指示（反転表示）され、次に「濃度」の内容を「７０％」「８１％」「８６％」「１１５％」ボタンから各ボタンへのタッチ入力により選択指定できる状態を示している。
【０１１３】
また、オペレータ（操作者）の存在を検出する検出器（不図示）を備え、第１画像処理部２０に対応する位置にオペレータの存在を検出した場合には、第１処理部情報を視認画面１４ｂに表示し、第２画像処理部４０に対応する位置にオペレータの存在を検出した場合には、第２処理部情報を視認画面１４ａに表示する構成とすることも可能である。この構成によれば必要に応じてそれぞれの画像処理部に対応した表示を行うことができることから、省エネルギで操作性の高い有効な表示部とすることができる。
【図面の簡単な説明】
【０１１４】
【図１】本発明の実施の形態に係る画像処理装置の機構系の構成を概念的に示す構造図である。
【図２】本発明の実施の形態に係る画像処理装置の制御系の構成ブロックを概念的に示すブロック図である。
【図３】本発明の実施の形態に係る画像処理装置の制御系の構成ブロックを概念的に示すブロック図である。
【図４】本発明の実施の形態に係る画像処理装置の表示部での表示態様を概念的に示す説明図である。
【図５】図４に示した表示部での表示例（動作状況の表示例）を示す説明図である。
【図６】図４に示した表示部での表示例（動作状況の他の例）を示す説明図である。
【図７】本発明の実施の形態に係る画像処理装置の立ち上げ時のフロー例および表示内容例を示すフロー説明図である。
【図８】本発明の実施の形態に係る画像処理装置の実働中に画像処理部の一方でメンテナンス作業を行う場合のフロー例および表示内容例を示すフロー説明図である。
【図９】本発明の実施の形態に係る画像処理装置のメンテナンス作業中での表示画面例を示す模式図である。
【図１０】本発明の実施の形態に係る画像処理装置の動作中の表示画面例を示す模式図である。
【図１１】本発明の実施の形態に係る画像処理装置の動作中の表示画面例を示す模式図である。
【図１２】本発明の実施の形態に係る画像処理装置の動作中の表示画面例を示す模式図である。
【図１３】本発明の実施の形態に係る画像処理装置の動作中の表示画面例を示す模式図である。
【図１４】本発明の実施の形態に係る画像処理装置の動作中の表示画面例を示す模式図である。
【符号の説明】
【０１１５】
１  画像処理装置
１１  中継搬送部
１２  オペレータコントロールユニット（ＯＣＵ）
１３  表示部
１４  視認画面
１４ａ  視認画面
１４ａａ  表示列
１４ｂ  視認画面
１４ｂｂ  表示列
１６  ハードディスクドライブ（ＨＤＤ）
２０  第１画像処理部
２１  カラー画像読み取り部（スキャナ）
２２  モノクロ画像形成部
２３  用紙収納部
２５  イメージコントロールユニット（ＩＣＵ）
２６  プリントコントロールユニット（ＰＣＵ）
２７  管理部
２８  ハードディスクドライブ（ＨＤＤ）
４０  第２画像処理部
４２  カラー画像形成部
４３  用紙収納部
４４  バイパス搬送部
４５  イメージコントロールユニット（ＩＣＵ）
４６  プリントコントロールユニット（ＰＣＵ）
４７  管理部
４８  ハードディスクドライブ（ＨＤＤ）
６０  付加処理部
６１  排出部
６５  サブコントロールユニット（ＳＣＵ）
７０  ＰＣ
ＬＡＮ  ローカルエリアネットワーク
ＳＤＡ  視認方向（第２視認方向）
ＳＤＢ  視認方向（第１視認方向）
【図１】
2007071991.tif 000003
【図２】
2007071991.tif 000004
【図３】
2007071991.tif 000005
【図４】
2007071991.tif 000006
【図５】
2007071991.tif 000007
【図６】
2007071991.tif 000008
【図７】
2007071991.tif 000009
【図８】
2007071991.tif 000010
【図９】
2007071991.tif 000011
【図１０】
2007071991.tif 000012
【図１１】
2007071991.tif 000013
【図１２】
2007071991.tif 000014
【図１３】
2007071991.tif 000015
【図１４】
2007071991.tif 000016